(57)【要約】【課題】  閲覧画像の中から欲しい実画像のみを容易に選択する携帯機器を得る。【解決手段】  画像送信側の携帯電話機より赤外線により受信される閲覧画像を表示する閲覧画像表示手段（ＳＴ５，ＳＴ６）と、その表示された閲覧画像のうちの操作により選択された欲しい画像に基づいた要求画像データを生成する要求画像情報生成手段（ＳＴ７，ＳＴ８）と、その要求画像データを赤外線により画像送信側の携帯電話機に送信する要求画像情報送信手段（ＳＴ９）と、画像送信側の携帯電話機より要求画像データに応じた実画像データを赤外線により受信する実画像受信手段（ＳＴ１３）と、その実画像データを保存する実画像保存手段（ＳＴ１４）とを備えた。要求画像データの生成においては、表示された閲覧画像のうちからいずれかの画像を操作により選択すれば良く、閲覧画像の中から欲しい実画像のみを容易に選択することができる。【選択図】        図２
2007020094.tif 000002
【特許請求の範囲】
【請求項１】
複数の保持された実画像に応じた閲覧候補画像を表示する閲覧候補画像表示手段と、
上記閲覧候補画像表示手段により表示された閲覧候補画像のうちの操作により選択された複数の画像に基づいた閲覧画像を生成する閲覧画像生成手段と、
上記閲覧画像生成手段により生成された閲覧画像を近距離無線により画像受信側の携帯機器に送信する閲覧画像送信手段と、
上記閲覧画像送信手段により送信された閲覧画像のうちの上記画像受信側の携帯機器によって選択された要求画像情報を近距離無線により受信する要求画像情報受信手段と、
上記複数の保持された実画像のうちの上記要求画像情報受信手段により受信された要求画像情報に応じた実画像を抽出し、近距離無線により上記画像受信側の携帯機器に送信する実画像送信手段とを備えた携帯機器。
【請求項２】
画像送信側の携帯機器より近距離無線により受信される閲覧画像を表示する閲覧画像表示手段と、
上記閲覧画像表示手段により表示された閲覧画像のうちの操作により選択された画像に基づいた要求画像情報を生成する要求画像情報生成手段と、
上記要求画像情報生成手段により生成された要求画像情報を近距離無線により上記画像送信側の携帯機器に送信する要求画像情報送信手段と、
上記画像送信側の携帯機器より上記要求画像情報送信手段により送信した要求画像情報に応じた実画像を近距離無線により受信する実画像受信手段と、
上記実画像受信手段により受信された実画像を保存する実画像保存手段とを備えた携帯機器。
【請求項３】
実画像送信手段は、
要求画像情報に応じた複数の実画像を送信することを特徴とする請求項１記載の携帯機器。
【請求項４】
要求画像情報生成手段は、
閲覧画像のうちの操作により選択された複数の画像に基づいた要求画像情報を生成し、
実画像受信手段は、
要求画像情報に応じた複数の実画像を受信し、
実画像保存手段は、
それら受信された複数の実画像を保存することを特徴とする請求項２記載の携帯機器。
【請求項５】
画像の操作による選択は、タッチパネル方式により行われることを特徴とする請求項１から請求項４のうちのいずれか１項記載の携帯機器。
【発明の詳細な説明】
【技術分野】
【０００１】
この発明は、保持された画像データを近距離無線を用いて伝送する携帯機器に関するものである。
【背景技術】
【０００２】
従来の画像データ伝送システムとしては、腕時計型のカメラで撮像した画像データを赤外線を用いて携帯電話機に伝送し、その画像データをインターネット上のサーバにアップするものがある（例えば、特許文献１参照）。
また、赤外線を用いて画像データを送受信することは、現在の携帯電話機にとっては当たり前の機能になっている。
【０００３】
【特許文献１】特開２００１−２７４９３６号公報
【発明の開示】
【発明が解決しようとする課題】
【０００４】
従来の特許文献における画像データ伝送システムは以上のように構成されているので、画像データの受信側の携帯電話機において、画像データの送信側の機器で撮影された画像データの中から欲しい画像データのみを選択することはできなかった。
また、携帯電話機間の画像データの送受信において、画像データの受信側において、画像データの送信側に対して欲しい画像データを要求する際には、受信側の操作者が送信側の画面上から選択することになるが、この場合、送信側の操作者にとっては受信側の操作者に見せたくない画像データまで見られてしまう等、画像データ選択における操作性が不十分であるなどの課題があった。
【０００５】
この発明は上記のような課題を解決するためになされたもので、閲覧画像の中から欲しい実画像のみを容易に選択することができる携帯機器を得ることを目的とする。
【課題を解決するための手段】
【０００６】
この発明に係る携帯機器は、複数の保持された実画像に応じた閲覧候補画像を表示する閲覧候補画像表示手段と、表示された閲覧候補画像のうちの操作により選択された複数の画像に基づいた閲覧画像を生成する閲覧画像生成手段と、生成された閲覧画像を近距離無線により画像受信側の携帯機器に送信する閲覧画像送信手段と、送信した閲覧画像のうちの画像受信側の携帯機器によって選択された要求画像情報を近距離無線により受信する要求画像情報受信手段と、複数の保持された実画像のうちの選択された要求画像情報に応じた実画像を抽出し、近距離無線により画像受信側の携帯機器に送信する実画像送信手段とを備えたものである。
【発明の効果】
【０００７】
この発明によれば、複数の保持された実画像に応じた閲覧候補画像を表示し、その閲覧候補画像のうちの操作により選択された複数の画像に基づいた閲覧画像を生成するので、閲覧画像の生成においては、表示された閲覧候補画像のうちからいずれかの複数の画像を操作により選択すれば良く、容易に閲覧画像を生成することができる。また、この画像の選択により、相手側に見せたくない閲覧画像を容易に除外することができる。さらに、画像受信側の携帯機器にとっては、閲覧画像の中から欲しい実画像のみを容易に選択することができる効果がある。
【発明を実施するための最良の形態】
【０００８】
実施の形態１．
図１はこの発明の実施の形態１による携帯電話機を示す構成図であり、図において、操作部１は、キーやタッチパネルに相当するものであり、操作者の操作により画像等の選択を行うものである。表示部２は、例えば、液晶パネル等により構成され、操作部１の操作に応じた画像等を表示するものである。なお、この表示部２は、タッチパネル機能を備えたものである。記憶部３は、受信した画像等を保存するものであり、操作部１の操作に応じた画像等が読み出されるものである。赤外線部４は、相手側の携帯電話機との画像のやり取りを行う際に用いられる赤外線５を送受信制御するものである。制御部６は、これら操作部１、表示部２、記憶部３、および赤外線部４を制御するものである。
【０００９】
次に動作について説明する。
図２はこの発明の実施の形態１による携帯電話機の画像伝送方法を示すイメージ図、図３は同じくフローチャート、図４は同じくシーケンス図であり、以後、図１に示した構成図と共にこれら図２から図４を参照しながら動作について説明する。
まず、画像送信側の携帯電話機において、記憶部３には予め複数の実画像データが保持されているものとする。これらの実画像データは、この携帯電話機に備え付けのカメラによって予め撮像されたり、あるいは、他の携帯電話機から既に実画像データを受信して記憶部３に保存されたものである。
【００１０】
この状態において、画像送信側の操作者は、携帯電話機の操作部１を操作することにより、閲覧候補画像の表示指示を行う。この操作は携帯電話機のキー入力により行われる。携帯電話機の制御部６では、キー入力が行われれば、記憶部３に保持された実画像データからレイアウト用の縮小画像を生成処理し、表示部２に閲覧候補画像として表示する。図２では、画像Ａ〜Ｆの６画像からなる閲覧候補画像が表示されている（ステップＳＴ１：閲覧候補画像表示手段）。
【００１１】
次に、画像送信側の操作者は、その表示された閲覧候補画像から画像受信側に見せても良い画像をタッチパネル方式による操作により選択する。なお、ここで選択される画像は一つであっても良いが、この実施の形態１では複数の画像が選択されるものとして説明する。図２では、画像Ａ〜Ｆの６画像から画像Ｂ，Ｄが除外され、画像Ａ，Ｃ，Ｅ，Ｆの４画像が選択されている（ステップＳＴ２：閲覧画像生成手段）。
【００１２】
画像が選択されれば、制御部６は、それら選択された複数の画像Ａ，Ｃ，Ｅ，Ｆに基づいた閲覧画像データを生成する。この閲覧画像データは、閲覧候補画像と同様にレイアウト用の縮小画像データであるが、対象となる画像Ａ，Ｃ，Ｅ，Ｆに応じたヘッダー情報（画像番号およびファイル名）も含まれるものである（ステップＳＴ３：閲覧画像生成手段）。
【００１３】
次に、画像送信側の操作者は、キー入力することにより、その生成された閲覧画像データの送信を指示する。携帯電話機の赤外線部４では、キー入力が行われれば、生成された閲覧画像データを赤外線５により画像受信側の携帯電話機に送信する（ステップＳＴ４：閲覧画像送信手段）。
【００１４】
対する画像受信側の携帯電話機において、赤外線部４では、赤外線５による閲覧画像データを受信し（ステップＳＴ５：閲覧画像表示手段）、制御部６では、その受信された閲覧画像データを記憶部３に保持すると共に、表示部２に表示する。図２では、画像Ａ，Ｃ，Ｅ，Ｆの４画像の閲覧画像が表示されている（ステップＳＴ６：閲覧画像表示手段）。
【００１５】
この状態において、画像受信側の操作者は、その表示された閲覧画像の中から欲しい実画像データに応じた画像をタッチパネル方式による操作により選択する。なお、ここで選択される画像は一つであっても良いが、この実施の形態１では複数の画像が選択されるものとして説明する。例えば、画像Ａ，Ｃ，Ｅ，Ｆの４画像の閲覧画像のうちの画像Ａ，Ｃ，Ｆが選択される（ステップＳＴ７：要求画像情報生成手段）。
【００１６】
画像が選択されれば、制御部６は、それら選択された複数の画像Ａ，Ｃ，Ｆに基づいた要求画像データを生成する。この要求画像データは、画像データを含むものではなく、画像送信側の携帯電話機から受信された閲覧画像データのうちのヘッダー情報（画像番号およびファイル名）に相当するものである（ステップＳＴ８：要求画像情報生成手段）。
【００１７】
次に、画像受信側の操作者は、キー入力することにより、その生成された要求画像データの送信を指示する。携帯電話機の赤外線部４では、キー入力が行われれば、生成された要求画像データを赤外線５により画像送信側の携帯電話機に送信する（ステップＳＴ９：要求画像情報送信手段）。
【００１８】
対する画像送信側の携帯電話機において、赤外線部４では、赤外線５による要求画像データを受信し（ステップＳＴ１０：要求画像情報受信手段）、制御部６では、その受信された要求画像データを記憶部３に保持すると共に、その要求画像データのヘッダー情報に基づいて記憶部３からそれら画像番号およびファイル名に相当する実画像データを抽出し（ステップＳＴ１１：実画像送信手段）、さらに、携帯電話機の赤外線部４では、抽出された実画像データを赤外線５により画像受信側の携帯電話機に送信する。すなわち、画像Ａ，Ｃ，Ｆに相当する実画像データを一度に送信する（ステップＳＴ１２：実画像送信手段）。
【００１９】
対する画像受信側の携帯電話機において、赤外線部４では、赤外線５による実画像データを受信し（ステップＳＴ１３：実画像受信手段）、制御部６では、その受信された実画像データを記憶部３に保存する（ステップＳＴ１４：実画像保存手段）。このように実画像データが画像受信側の携帯電話機の記憶部３に保存されれば、画像受信側の操作者は、いつでも記憶部３に保存された実画像データを表示部２に表示する等、実画像データを使用することができる。
【００２０】
なお、上記実施の形態１では、閲覧候補画像表示手段、閲覧画像送信手段、および要求画像情報送信手段をキー入力によって行ったが、タッチパネル方式により行うようにしても良く、この場合、さらに操作性を高めることができる。
また、画像の選択をタッチパネル方式によって行ったが、キー入力によってカーソルを移動し、確定するようにしても良い。
さらに、上記実施の形態１では、携帯機器として、携帯電話機を適用したものについて説明したが、その他、例えば、携帯パソコン等を適用しても良い。
さらに、上記実施の形態１では、近距離無線として、赤外線を適用したものについて説明したが、その他、例えば、Ｂｌｕｅｔｏｏｔｈ等を適用しても良い。
【００２１】
以上のように、この実施の形態１によれば、画像送信側の携帯電話機において、複数の保持された実画像データに応じた閲覧候補画像を表示し、その閲覧候補画像のうちの複数の画像を操作により選択し、それら選択した複数の画像に基づいた閲覧画像データを生成するので、閲覧画像データの生成においては、表示された閲覧候補画像のうちからいずれかの複数の画像を操作により選択すれば良く、容易に閲覧画像データを生成することができる。また、この画像の選択により、画像受信側に見せたくない閲覧画像を容易に除外することができる。
また、画像受信側の携帯電話機において、受信される閲覧画像を表示し、その閲覧画像のうちのいずれかの画像を操作により選択し、その選択した画像に基づいた要求画像データを生成するので、要求画像データを生成においては、表示された閲覧画像のうちからいずれかの画像を操作により選択すれば良く、閲覧画像の中から欲しい実画像のみを容易に選択することができる。
さらに、画像送信側の携帯電話機において、一度に複数の実画像データを送信し、また、画像受信側の携帯電話機において、ＳＤカードのようなメディアが無くても一度に複数の実画像データを受信し、保存することができる。
さらに、タッチパネル方式により、画像の操作による選択を行うようにしたので、極めて容易に画像を選択することができる。
【図面の簡単な説明】
【００２２】
【図１】この発明の実施の形態１による携帯電話機を示す構成図である。
【図２】この発明の実施の形態１による携帯電話機の画像伝送方法を示すイメージ図である。
【図３】この発明の実施の形態１による携帯電話機の画像伝送方法を示すフローチャートである。
【図４】この発明の実施の形態１による携帯電話機の画像伝送方法を示すシーケンス図である。
【符号の説明】
【００２３】
１  操作部、２  表示部、３  記憶部、４  赤外線部、５  赤外線、６  制御部。
【図１】
2007020094.tif 000003
【図２】
2007020094.tif 000004
【図３】
2007020094.tif 000005
【図４】
2007020094.tif 000006